(57)【要約】【課題】時間的に変動する現象を、短い観測時間で簡単な装置により分光観測することができる面分光装置を提供する。【解決手段】複数の光ファイバーの、入口側を２次元配列として入口部５ｉｎを形成し、出口側を１次元配列として出口部５ｏｕｔを形成した光ファイバーアレイ５と、真空遮断器１からのアーク発光像を前記入口部５ｉｎに結像させる結像レンズ４と、前記出口部５ｏｕｔからの出射光を平行光とするコリメータレンズ６と、前記平行光を前記出口部５ｏｕｔの１次元配列の方向と直角方向に分散させて分光画像を得る回折格子７と、前記分光画像から、特定波長に対応する１次元データを抽出し、該抽出したデータに基いて再構成した２次元画像を得る高速度ビデオカメラ８とを備えた。【選択図】  図１
2020126045.tif 000002
【特許請求の範囲】
【請求項１】
観測対象の発光を分光観測する面分光装置であって、
複数の光ファイバーを有し、第１の方向に複数の光ファイバーの入口側を直線状に配設した１つのグループを、該第１の方向と直交する第２の方向に順次ｎグループ（ｎは２以上の整数）配設することで入口側２次元配列とした入口部を形成し、前記各グループの複数の光ファイバーの出口側を、各グループの前記第２の方向の配設順に順次直線状に配設することで出口側１次元配列とした出口部を形成した光ファイバーアレイと、
観測対象から発生される発光像を前記光ファイバーアレイの入口部に結像させる結像レンズと、
前記光ファイバーアレイの出口部から出射される光を平行光とするコリメータレンズと、
前記コリメータレンズから出射される平行光を、前記光ファイバーアレイの複数の光ファイバーの出口側の一次元配列の方向と直角方向に分散させて分光画像を得る回折格子と、
前記回折格子により得られた分光画像から、特定波長に対応する１次元データを抽出し、該抽出したデータに基いて再構成した２次元画像を得る画像再構成部と、
を備えたことを特徴とする面分光装置。
【請求項２】
入口側に、特定の発光線を発する標準光源からの光が入射され、出口側が、前記光ファイバーアレイの出口部に形成された出口側１次元配列の複数の光ファイバーの各グループ間に各々配設された参照光用ファイバーを備えたことを特徴とする請求項１に記載の面分光装置。
【請求項３】
前記画像再構成部は、高速度ビデオカメラを有した画像記録装置と、画像記録装置に記録された画像の処理を行う画像処理装置とを備え、
前記画像処理装置は、
特定波長でピークがある光を前記参照光用ファイバーに入射して得られた参照光画像における、参照光用ファイバーの出口側配設位置に対応した複数の参照光画像特徴点を取得し、
前記取得した複数の参照光画像特徴点の座標と、該参照光画像特徴点の座標が格子状になるように補正した補正後座標とを対応させた座標データを設定し、
前記設定した座標データを用いてキャリブレーション処理を行って、前記高速度ビデオカメラの内部パラメータおよび歪み係数を取得し、
前記取得した内部パラメータおよび歪み係数を用いて参照光画像の光学収差を補正することを特徴とする請求項２に記載の面分光装置。
【請求項４】
前記画像処理装置は、特定波長に対応する画像領域から、前記補正後の参照光画像における前記参照光用ファイバーの出口側配設位置に対応した領域の画素を切り取り、分光画像を同一の光ファイバーのグループ毎に並べて再合成することを特徴とする請求項３に記載の面分光装置。
【請求項５】
前記コリメータレンズは、凸レンズを組み合わせた縮小倍率のケプラー式光学系で構成されていることを特徴とする請求項１ないし４のいずれか１項に記載の面分光装置。
【請求項６】
前記光ファイバーアレイの入口部は、前記第１の方向と第２の方向で形成される２次元平面の中央部における配設間隔を密とし、前記中央部以外の外周部における配設間隔を疎として配設した複数の観測用光ファイバーと、前記外周部における前記観測用光ファイバーの非配設部位に入口側が各々配設されたファインダー用光ファイバーとを備えて形成され、
前記光ファイバーアレイの出口部は、前記観測用光ファイバーの出口側を、各グループの前記第２の方向の配設順に順次直線状に配設することで出口側１次元配列に形成され、
前記ファインダー用光ファイバーの出口側は前記入口側の配設状態と同一に配設され、該ファインダー用光ファイバーの出口側から出射される光をファインダー部に導くように構成されていることを特徴とする請求項１ないし５のいずれか１項に記載の面分光装置。
【請求項７】
前記画像再構成部は、高速度ビデオカメラを有した画像記録装置と、
角度調節機能を有し、前記回折格子からの分光画像を前記高速度ビデオカメラに入射させる中心波長調整用ミラーと、
を備えたことを特徴とする請求項１ないし６のいずれか１項に記載の面分光装置。
【請求項８】
前記光ファイバーアレイの出口部の外表面には、前記出口側１次元配列に沿ったスリットが配設されていることを特徴とする請求項１ないし７のいずれか１項に記載の面分光装置。
【請求項９】
前記参照光用ファイバーには、分光器を介して異なる波長の光が入射されることを特徴とする請求項３又は４に記載の面分光装置。
【請求項１０】
前記参照光用ファイバーの入口側又は回折格子の入力側に配設した干渉フィルタによって、異なる波長の参照光画像を得ることを特徴とする請求項３又は４に記載の面分光装置。
【請求項１１】
請求項３又は４に記載の面分光装置を備え、
前記高速度ビデオカメラを動かして見え方の異なる複数の参照光画像を取得し、該複数の参照光画像の光学収差を補正することを特徴とする面分光装置の光学収差補正方法。
【請求項１２】
請求項３又は４に記載の面分光装置と、角度調節機能を有し、前記回折格子からの分光画像を前記高速度ビデオカメラに入射させる中心波長調整用ミラーとを備え、
前記中心波長調整用ミラーを動かして見え方の異なる複数の参照光画像を取得し、該複数の参照光画像の光学収差を補正することを特徴とする面分光装置の光学収差補正方法。
【請求項１３】
請求項９に記載の面分光装置を備え、
異なる波長の複数の参照光画像を取得し、該複数の参照光画像の光学収差を補正することを特徴とする面分光装置の光学収差補正方法。
【請求項１４】
請求項１０に記載の面分光装置を備え、
異なる波長の複数の参照光画像を取得し、該複数の参照光画像の光学収差を補正することを特徴とする面分光装置の光学収差補正方法。
【発明の詳細な説明】
【技術分野】
【０００１】
本発明は、真空遮断器の研究開発手段として不可欠な真空アークの分光観測にかかわるもので、アーク画像（２次元）について２次元画像データの分光（以下「面分光」と称することもある）を行うための光学系に関するものである。
【背景技術】
【０００２】
発光の分光観測は一般に発光部の像をスリット上に結像させ、スリットにより画像の一部を１次元データとして取り出し、それを波長方向に分光することでスリットの方向に空間１次元、波長方向に１次元のデータを得ている。
【０００３】
これらデータは２次元データとなり、時間的な変動を伴う発光についても高速度ビデオなどでデータを取得することが行われている。
【０００４】
アーク放電の場合その位置・形状は時間とともに変動する。前述の方法ではスリットの位置にアーク発光部がないと発光を観測することができない。このためスペクトルの時間変動が観測されたとしてもそれがアーク位置の変化によるものか、アークの発光強度が変化したことによるものか判断できないという問題があった。この問題を避けるため、例えば以下の方法がとられている。
【０００５】
（１）アークの位置を限定できるよう液体金属をノズルから放出してそこにアークを点弧させ、接点材料を供給するとともにアーク位置を一定に保つ（非特許文献１に記載の方法）。
【０００６】
（２）スリットの方向を接点面に平行な方向に設定し、接点上でアークが移動しても発光を捕らえることができるようにする（非特許文献２に記載の方法）。
【０００７】
また、関連特許として、特許文献１に記載の平面分光干渉計が提案されている。
【０００８】
尚、本発明に関連する面分光技術は例えば非特許文献３に記載されている。
【先行技術文献】
【非特許文献】
【０００９】
【非特許文献１】“Ｓｐｅｃｔｒａｌｌｙ  ａｎｄ  Ｓｐａｔｉａｌｌｙ  Ｒｅｓｏｌｖｅｄ  Ｉｍａｇｉｎｇ  ｏｆ  ａｎ  Ａｎｏｄｅ  Ｆｌａｒｅ  ｉｎ  ｔｈｅ  Ｉｎｉｔｉａｌ  Ｓｔａｇｅ  ｏｆ  ａ  Ｖａｃｕｕｍ  Ａｒｃ  Ｄｉｓｃｈａｒｇｅ”、Ｒ．Ｍｅｔｈｌｉｎｇ，Ｓ．Ｐｏｐｏｖ，Ａ．Ｂａｔｒａｋｏｖ，Ｄ．Ｕｈｒｌａｎｄｔ、  ＩＳＤＥＩＶ  ２０１６Ｂ３−Ｏ−０１ｐ．２５９−２６２
【非特許文献２】“Ｏｐｔｉｃａｌ  ｉｎｖｅｓｔｉｇａｔｉｏｎ  ｏｆ  ｃｏｎｓｔｒｉｃｔｅｄ  ｖａｃｕｕｍ  ａｒｃｓ”、Ｍ．Ａｄｐｌａｎａｌｐ，Ｋ．Ｍｅｎｚｅｌ，Ｔ．Ｄｅｌａｃｈａｕｘ、  ＩＳＤＥＩＶ  ２０１６Ｂ３−Ｏ−０６ｐ．２７９−２８２
【非特許文献３】「面分光に用いられる技術」、尾崎忍夫、第２回可視赤外線観測装置ワークショップ、  ２０１２／１２／１７，１８
【特許文献】
【００１０】
【特許文献１】特開２０１６−１１８４６４号公報
【特許文献２】特開２０１０−１６７２５３号公報
【特許文献３】特開平０８−２７１４１０号公報
【発明の概要】
【発明が解決しようとする課題】
【００１１】
前記非特許文献１では、電極の形状が特殊であり、実際の機器で生じている現象とかけ離れている可能性がある。また、アークによる接点材料の消耗を補うため電極を連続して供給しているが、使用できる材料が限られるため、実験から得られた知見をそのまま実際の機器に適用することはできない。
【００１２】
前記非特許文献２では、実際の機器に適用可能な知見が得られるが、データは接点面に平行な方向に限られる。
【００１３】
前記特許文献１では、試料を移動台に載せ、位置を変化させながら２次元の表面形状情報と分光情報を取得しているが、この場合試料の状態が測定期間中は時間的に変化しないことを前提としている。
【００１４】
一方、天文分野では、広がりを持った天体の分光データを得る場合、スリット位置を変化させて複数回の撮影（分光観測）を行い、２次元画像の分光データを得ることが行われている。ただし、この方法は複数回の撮影を行うため観測時間が長くなり、また時間的に変動する対象には適用できない。
【００１５】
このため、一度の露光で空間方向２次元、波長方向１次元の３次元データを取得できる、非特許文献３に記載の面分光技術が取り入れられている。その方法は以下のとおりである。
【００１６】
・マイクロレンズアレイを用いて観測対象から複数の観測点を取り出し、個々の測定点の光を分光する。
【００１７】
・ファイバーアレイを用いて観測対象から複数の観測点を取り出し、個々の測定点の光を分光する。
【００１８】
・複数の鏡により対象を細長い短冊状の領域に分割し、各領域を分光する。
【００１９】
本発明は、上記課題を解決するものであり、その目的は、時間的に変動する現象を、短い観測時間で簡単な装置により分光観測することができる面分光装置を提供することにある。
【課題を解決するための手段】
【００２０】
上記課題を解決するための請求項１に記載の面分光装置は、
観測対象の発光を分光観測する面分光装置であって、
複数の光ファイバーを有し、第１の方向に複数の光ファイバーの入口側を直線状に配設した１つのグループを、該第１の方向と直交する第２の方向に順次ｎグループ（ｎは２以上の整数）配設することで入口側２次元配列とした入口部を形成し、前記各グループの複数の光ファイバーの出口側を、各グループの前記第２の方向の配設順に順次直線状に配設することで出口側１次元配列とした出口部を形成した光ファイバーアレイと、
観測対象から発生される発光像を前記光ファイバーアレイの入口部に結像させる結像レンズと、
前記光ファイバーアレイの出口部から出射される光を平行光とするコリメータレンズと、
前記コリメータレンズから出射される平行光を、前記光ファイバーアレイの複数の光ファイバーの出口側の一次元配列の方向と直角方向に分散させて分光画像を得る回折格子と、
前記回折格子により得られた分光画像から、特定波長に対応する１次元データを抽出し、該抽出したデータに基いて再構成した２次元画像を得る画像再構成部と、を備えたことを特徴とする。
【００２１】
請求項２に記載の面分光装置は、請求項１において、
入口側に、特定の発光線を発する標準光源からの光が入射され、出口側が、前記光ファイバーアレイの出口部に形成された出口側１次元配列の複数の光ファイバーの各グループ間に各々配設された参照光用ファイバーを備えたことを特徴とする。
【００２２】
請求項３に記載の面分光装置は、請求項２において、
前記画像再構成部は、高速度ビデオカメラを有した画像記録装置と、画像記録装置に記録された画像の処理を行う画像処理装置とを備え、
前記画像処理装置は、
特定波長でピークがある光を前記参照光用ファイバーに入射して得られた参照光画像における、参照光用ファイバーの出口側配設位置に対応した複数の参照光画像特徴点を取得し、
前記取得した複数の参照光画像特徴点の座標と、該参照光画像特徴点の座標が格子状になるように補正した補正後座標とを対応させた座標データを設定し、
前記設定した座標データを用いてキャリブレーション処理を行って、前記高速度ビデオカメラの内部パラメータおよび歪み係数を取得し、
前記取得した内部パラメータおよび歪み係数を用いて参照光画像の光学収差を補正することを特徴とする。
【００２３】
請求項４に記載の面分光装置は、請求項３において、
前記画像処理装置は、特定波長に対応する画像領域から、前記補正後の参照光画像における前記参照光用ファイバーの出口側配設位置に対応した領域の画素を切り取り、分光画像を同一の光ファイバーのグループ毎に並べて再合成することを特徴とする。
【００２４】
請求項５に記載の面分光装置は、請求項１ないし４のいずれか１項において、
前記コリメータレンズは、凸レンズを組み合わせた縮小倍率のケプラー式光学系で構成されていることを特徴とする。
【００２５】
請求項６に記載の面分光装置は、請求項１ないし５のいずれか１項において、
前記光ファイバーアレイの入口部は、前記第１の方向と第２の方向で形成される２次元平面の中央部における配設間隔を密とし、前記中央部以外の外周部における配設間隔を疎として配設した複数の観測用光ファイバーと、前記外周部における前記観測用光ファイバーの非配設部位に入口側が各々配設されたファインダー用光ファイバーとを備えて形成され、
前記光ファイバーアレイの出口部は、前記観測用光ファイバーの出口側を、各グループの前記第２の方向の配設順に順次直線状に配設することで出口側１次元配列に形成され、
前記ファインダー用光ファイバーの出口側は前記入口側の配設状態と同一に配設され、該ファインダー用光ファイバーの出口側から出射される光をファインダー部に導くように構成されていることを特徴とする。
【００２６】
請求項７に記載の面分光装置は、請求項１ないし６のいずれか１項において、
前記画像再構成部は、高速度ビデオカメラを有した画像記録装置と、
角度調節機能を有し、前記回折格子からの分光画像を前記高速度ビデオカメラに入射させる中心波長調整用ミラーと、
を備えたことを特徴とする。
【００２７】
請求項８に記載の面分光装置は、請求項１ないし７のいずれか１項において、
前記光ファイバーアレイの出口部の外表面には、前記出口側１次元配列に沿ったスリットが配設されていることを特徴とする。
【００２８】
請求項９に記載の面分光装置は、請求項３又は４において、
前記参照光用ファイバーには、分光器を介して異なる波長の光が入射されることを特徴とする。
【００２９】
請求項１０に記載の面分光装置は、請求項３又は４において、
前記参照光用ファイバーの入口側又は回折格子の入力側に配設した干渉フィルタによって、異なる波長の参照光画像を得ることを特徴とする。
【００３０】
請求項１１に記載の面分光装置の光学収差補正方法は、
請求項３又は４に記載の面分光装置を備え、
前記高速度ビデオカメラを動かして見え方の異なる複数の参照光画像を取得し、該複数の参照光画像の光学収差を補正することを特徴とする。
【００３１】
請求項１２に記載の面分光装置の光学収差補正方法は、
請求項３又は４に記載の面分光装置と、角度調節機能を有し、前記回折格子からの分光画像を前記高速度ビデオカメラに入射させる中心波長調整用ミラーとを備え、
前記中心波長調整用ミラーを動かして見え方の異なる複数の参照光画像を取得し、該複数の参照光画像の光学収差を補正することを特徴とする。
【００３２】
請求項１３に記載の面分光装置の光学収差補正方法は、
請求項９に記載の面分光装置を備え、
異なる波長の複数の参照光画像を取得し、該複数の参照光画像の光学収差を補正することを特徴とする。
【００３３】
請求項１４に記載の面分光装置の光学収差補正方法は、
請求項１０に記載の面分光装置を備え、
異なる波長の複数の参照光画像を取得し、該複数の参照光画像の光学収差を補正することを特徴とする。
【発明の効果】
【００３４】
（１）請求項１〜１４に記載の発明によれば、時間的に変動する現象を、短い観測時間で簡単な装置により分光観測することができる。
（２）請求項２に記載の発明によれば、参照光用ファイバーの出口側から出射される標準光源の光によって、波長校正用のデータを得ることができ、また標準光源の光の位置から、光ファイバーアレイの複数の光ファイバーの各グループの境界を知ることができ、データ処理時に有効な指標となる。
（３）請求項３に記載の発明によれば、画像処理によって光学収差を補正することができるので、大量の収差画像を補正し、補正画像の画素値を取り出すことによって、大量画像を容易に分析・解析することができる。
（４）請求項４に記載の発明によれば、入力画像を再合成してマルチスペクトルカメラのように画像化することができる。通常のマルチスペクトルカメラは、Ｈ／Ｗの制約のため高速シャッターが切れず、発生して直ぐに消弧するアークの動きをマルチスペクトル画像で撮影できない課題がある。本発明では、何度でも任意の波長帯の画像で再合成できる利点がある。またＨ／Ｗの制約を受けず高いフレームレートでかつ所望のマルチスペクトル画像や動画像を得ることができる。
（５）請求項５に記載の発明によれば、光ファイバーアレイの出口部における、複数の光ファイバーの出口側の１次元配列の長さが増加しても、光ファイバーアレイの出口部から出射される像を回折格子の大きさに収めることができる。
（６）請求項６に記載の発明によれば、観測用光ファイバーの、光ファイバーアレイの入口部における配設間隔を、中央部で密に、外周部で疎に構成したので、中央部分と周辺部分の空間分解能が調整され、中央部分では詳細な画像、周辺部分では概略画像を得ることができ、光ファイバー本数の増加を抑え、且つ要求される画像情報を得ることができる。
【００３５】
また、ファインダー用光ファイバーの出口側を入口側の配設状態と同一に配設したので、入口側に入射している画像を確認しながら位置調整を行うことができる。
（７）請求項７に記載の発明によれば、中心波長調整用ミラーの角度を調整することにより、高速度ビデオカメラの位置を固定したままでスペクトル画像の位置を調整することができる。
（８）請求項８に記載の発明によれば、光ファイバーアレイの出口部から出射される光の巾をスリットにより制限することで波長分解能を向上させることができる。
（９）請求項９〜１４に記載の発明によれば、見え方の異なる参照光画像を容易に多数集めることができ、光学収差の補正が正確になる。
【図面の簡単な説明】
【００３６】
【図１】本発明の実施例１の全体構成図。
【図２】本発明の実施例２の全体構成図。
【図３】図１、図２の光ファイバーアレイの入口部における２次元配列の一例を示す説明図。
【図４】図１、図２の光ファイバーアレイの入口部における２次元配列の他の例を示す説明図。
【図５】図１、図２の光ファイバーアレイの出口部における１次元配列の一例を示す説明図。
【図６】本発明の実施例３における光ファイバーアレイの出口部を示す要部構成図。
【図７】本発明の各実施例において、入口側光ファイバーを６×６配置とした場合の例を表し、（ａ）は光ファイバーアレイの入口部の説明図、（ｂ）は光ファイバーアレイの出口部の説明図、（ｃ）は観測される分光画像例の画像図。
【図８】本発明の各実施例において、１次元に変換された画像を分光し、このデータから特定波長の２次元画像を再構成する過程を表し、（ａ）は光ファイバーアレイの入口部の画像の説明図、（ｂ）は光ファイバーアレイの出口部の画像の説明図、（ｃ）は回折格子で分光された画像の説明図、（ｄ）は再構成された特定波長の２次元画像の説明図。
【図９】本発明の実施例４の構成を表す説明図。
【図１０】本発明の実施例４の全体構成図。
【図１１】本発明の実施例４において、入口側光ファイバーを６×６配置とした場合の例を表し、（ａ）は光ファイバーアレイの入口部の説明図、（ｂ）は光ファイバーアレイの出口部の説明図、（ｃ）は観測される分光画像例の画像図。
【図１２】本発明の実施例５の全体構成図。
【図１３】本発明の実施例６を表し、（ａ）は光ファイバーアレイの入口側光ファイバーの配置例を示す説明図、（ｂ）は観測用光ファイバーの配置例を示す説明図、（ｃ）はファインダー用光ファイバーの配置例を示す説明図。
【図１４】本発明の実施例６の要部説明図。
【図１５】本発明の実施例７、８の全体構成図。
【図１６】本発明の実施例７、８における光学収差補正処理を表し、（ａ）は実施例７のフローチャート、（ｂ）は実施例８のフローチャート。
【図１７】本発明の実施例７、８における光学収差の様子を表し、（ａ）は３波長にピークがある場合の参照光画像図、（ｂ）は参照光の点プロットの模式図。
【図１８】本発明の実施例７、８における光学収差補正後の参照光画像の模式図。
【図１９】本発明の実施例８において、１次元に変換された画像を分光し、このデータから特定波長の２次元画像を再構成する過程を表し、（ａ）は光ファイバーアレイの入口部の画像の説明図、（ｂ）は光ファイバーアレイの出口部の画像の説明図、（ｃ）は回折格子で分光された画像の説明図、（ｄ）は再構成された特定波長の２次元画像の説明図。
【発明を実施するための形態】
【００３７】
以下、図面を参照しながら本発明の実施の形態を説明するが、本発明は下記の実施形態例に限定されるものではない。
【００３８】
本実施形態例では、ファイバーアレイ方式を用いて、観測対象の発光、例えばアーク発光の面分光光学系を構成する。そして高速度ビデオカメラと組み合わせることにより、放電など、時間的に変動する現象についての面分光を可能とした。
【実施例１】
【００３９】
図１は、高速度ビデオカメラを可動式とした場合の実施例１の構成を示している。図１において１は、窓部２を備えた真空チャンバー３内に配設した真空遮断器であり、本実施例では真空遮断器１で発生したアークの発光を分光観測するものである。
【００４０】
窓部２に対向し、所定距離隔てた位置には、真空遮断器１から発生されるアークの発光像を光ファイバーアレイ５の入口部５ｉｎに結像させる結像レンズ４が配設されている。
【００４１】
光ファイバーアレイ５は、後述するように複数の光ファイバー（５０…）の入口側を２次元配列に配設して入口部５ｉｎが形成され、複数の光ファイバーの出口側を１次元配列に配設して出口部５ｏｕｔが形成され、結像レンズ４からの像が入口部５ｉｎに結像する位置に配設されている。
【００４２】
前記出口部５ｏｕｔの複数の光ファイバーの出口側が１次元配列に配設されているため、この出口部５ｏｕｔは分光計のスリットとして機能する。
【００４３】
光ファイバーアレイ５の出口部５ｏｕｔに対向し、所定距離隔てた位置には、出口部５ｏｕｔから出射される光を平行光とするコリメータレンズ６が配設されている。尚この平行光を達成させるため、光ファイバーアレイ５の出口部５ｏｕｔとコリメータレンズ６の間の距離は、コリメータレンズ６の焦点距離と同じとしている。
【００４４】
コリメータレンズ６に対向し、所定距離隔てた位置には、コリメータレンズ６から出射される平行光が入射される回折格子７が配設されている。
【００４５】
この回折格子７は透過型回折格子で構成され、回折格子７の分散方向を、光ファイバーアレイ５の出口部５ｏｕｔにおける光ファイバー出口側の１次元配列の方向と直角方向に設定することにより、前記出口部５ｏｕｔからの光を波長方向に分解した画像（分光画像）が得られる。
【００４６】
８は、図示省略の画像再構成部が備える、時間分解能の高い、回転機構付きの高速度ビデオカメラであり、回折格子７により回折された像（無限遠点に結像）を撮影し記録する。これにより、時間的に変化する分光画像が得られる。
【００４７】
回折格子７の分散方向を、光ファイバーアレイ５の出口部５ｏｕｔからの１次元画像と直角の方向に設定しているため、高速度ビデオカメラ８にはスペクトルが得られ、また高速度ビデオカメラ８を回転させることで、観測する中心波長を選択する。
【００４８】
高速度ビデオカメラ８を有した画像再構成部は、前記選択された特定波長に対応する１次元データを抽出し、該抽出したデータに基いて後述するように２次元画像を再構成する。
【実施例２】
【００４９】
図２は、図１のコリメータレンズ６を、２個の凸レンズ６１，６２を組み合わせた縮小倍率のケプラー式光学系で構成した実施例２を表し、図１と同一部分は同一符号をもって示している。
【００５０】
光ファイバーアレイ５の入口側の解像度を向上させるためには光ファイバーの本数を増やす必要がある。光ファイバーアレイ５の出口側の１次元配列の長さは光ファイバーの本数に比例するので、光ファイバー本数の増加は出口側の１次元配列の長さを増加させる。
【００５１】
このため、光ファイバーアレイ５の出口側の像が光ファイバーアレイ５以降の光学系の視野、特に回折格子７からはみ出す場合がある。このため光ファイバーアレイ５からの光は図２のように凸レンズ６１，６２を組み合わせた縮小光学系に入射する。縮小光学系は凸レンズを組み合わせた縮小倍率（倍率１以下）のケプラー式光学系となっており、縮小光学系の出口では平行光になるように調整されている。
【００５２】
平行光を得るためには、縮小光学系の出口を無限遠にピントを合わせた望遠鏡またはカメラで観測し、縮小光学系を構成するレンズ群（６１，６２）の位置を調整してピントが合うようにする。この縮小光学系により、光ファイバーアレイ５の出口側の像は回折格子７の大きさに収まり、且つ平行光となる。
【００５３】
この平行光は回折格子７に入射し、波長に応じた角度を持って透過する。以降の動作は図１の場合と同様である。
【００５４】
尚、図１、図２ではレンズ（４，６，６１，６２）を単レンズとして表しているが、実際の装置では色消しレンズを使用することもできる。
【００５５】
図３、図４は光ファイバーアレイ５の入口部５ｉｎにおける複数の光ファイバー５０…の入口側の２次元配列状態を表し、図３は四角格子状に配列した例を示し、図４は隣接する列どうしで互いにずらした三角格子状（千鳥形状）に配列した例を示している。
【００５６】
図５は、光ファイバーアレイ５の出口部５ｏｕｔにおける複数の光ファイバー５０…の出口側の１次元配列状態を示している。この出口部５ｏｕｔは、複数の光ファイバー５０…の出口側が１次元配列されるため配列方向に細長いものとなる。
【実施例３】
【００５７】
図６は、光ファイバーアレイ５の光ファイバー５０…の出口側にスリットを組み合わせた実施例３を示している。図６において、光ファイバーアレイ５の出口部５ｏｕｔの外表面には、光ファイバー５０…の出口側１次元配列に沿ったスリット３０が配設されており、これによって、光ファイバー５０…の出口側から出射される光の巾をスリット３０により制限することで波長分解能を向上させることができる。
【００５８】
図７は、光ファイバーアレイ５によって２次元データが１次元に変換される様子と分光画像を示している。図７において、光ファイバー入口側（図７（ａ））で光ファイバーは方向１、方向２に配列されている。この例では出口側（図７（ｂ））で光ファイバーを方向２の位置が同じグループごとに並べていく。各グループ内では方向１に従って配列されているので、２次元配列のデータを１次元データとして並べることができる。
【００５９】
すなわち、図７（ａ）において、方向１（第１の方向）に複数の光ファイバー５０…（この例では６個の光ファイバー）の入口側を直線状に配設した１つのグループ（２１）を、方向１と直交する方向２（第２の方向）に順次ｎグループ（ｎは２以上の整数；この例では６グループ２１〜２６）配設することで、入口側２次元配列とした入口部５ｉｎを形成している。
【００６０】
そして図７（ｂ）において、前記各グループ２１〜２６の複数の光ファイバー５０…の出口側を、各グループの方向２の配設順（２１→２２→…→２６）に順次直線状に配設することで出口側１次元配列とした出口部５ｏｕｔを形成している。
【００６１】
図８は、図１〜図７の実施例において、１次元に変換された画像を分光し、このデータから特定波長の２次元画像を再構成する過程を示している。光ファイバーアレイ５の光ファイバー入口側の２次元画像（図８（ａ））は図７に示した方法により光ファイバー出口側の１次元画像（図８（ｂ））に変換される。この１次元画像を回折格子７により波長方向に分解した画像が、図８（ｃ）のように得られ、高速度ビデオカメラ８に記録する。ここで分散方向は光ファイバー出口側の１次元配列と直交する方向に取る。
【００６２】
こうして得られた分光画像から、画像再構成部が特定の波長に対応する画像を取り出し、図７と逆の手順で方向２の位置が同じであるグループごとに並べていく。これにより特定波長の２次元画像が図８（ｄ）のように得られる。
【実施例４】
【００６３】
図９〜図１１は、光ファイバーアレイ５の出口部５ｏｕｔに参照光用ファイバーを組み込んだ実施例４を表し、図２、図７と同一部分は同一符号をもって示している。
【００６４】
図９〜図１１において、複数本の参照光用ファイバー５１…の入口側（入口側の配列は２次元でも１次元でもよい）には、標準光源４０が発する特定の発光線が照射され、参照光用ファイバー５１…の出口側は、光ファイバーアレイ５の出口部５ｏｕｔに形成された複数の光ファイバー５０…の各グループ２１、２２、…間に各々配設している。
【００６５】
標準光源４０は特定の発光線で発光するランプであり、ランプに封入されている気体を選択することにより波長の指標を得ることができる。図１１は参照光用ファイバー５１…に標準光源４０からの光を入射させた例を示し、図１１（ｃ）のように参照光の発光線の位置から波長校正用のデータが得られる。また、参照光の位置から光ファイバー５０…の各グループ（２１、２２、…）の境界を知ることができ、データ処理時に有効な指標となる。
【実施例５】
【００６６】
図１２は、回折格子と高速度ビデオカメラの間に角度調整可能なミラーを設けた実施例５の構成を示している。図１２において図２と異なる点は、回折格子７と高速度ビデオカメラ８の間に、角度調節機能を有した中心波長調整用ミラー９を配設し、回折格子７からの回折光（分光画像）を前記ミラー９を介して高速度ビデオカメラ８に入射させた点にあり、その他の部分は図２と同一に構成されている。
【００６７】
本実施例によれば、中心波長調整用ミラー９の角度を調節することにより、高速度ビデオカメラ８の位置を固定したままでスペクトル画像の位置を調整することができる。この構成は、高速度ビデオカメラ８が大型で位置調整が難しい場合に有効である。
【実施例６】
【００６８】
図１３、図１４は光ファイバーアレイ５の入口側の光ファイバーの配置を、中央部と周辺部で変化させた実施例６を示している。前記図３および図４の配置例では、光ファイバーアレイ５の入口側の光ファイバー５０…の配置密度を一定としているが、画像の観察においては詳細に観察したい部分と概要がわかればよい部分に分けられる場合がある。
【００６９】
そこで図１３（ａ）のように入口側光ファイバーを観測用光ファイバー５２…とファインダー用光ファイバー５３…に分け、画像の中央では観測用光ファイバー５２…を多くし、周辺部では観測用光ファイバー５２…とファインダー用光ファイバー５３…に振り分けた。
【００７０】
すなわち、複数の観測用光ファイバー５２…の入口側は、図１３（ｂ）に示すように、光ファイバーアレイ５の入口部５ｉｎの２次元平面（図７（ａ）で説明した方向１と方向２で形成される２次元平面）の中央部における配設間隔を密とし、中央部以外の外周部における配設間隔を疎として配設している。
【００７１】
また複数のファインダー用光ファイバー５３…の入口側は、図１３（ｃ）に示すように、前記２次元平面の中央部以外の外周部における観測用光ファイバー５２…の非配設部位に各々配設している。
【００７２】
そして観測用光ファイバー５２…の出口側は、図７と同様の方法で１次元配列に並べている。すなわち、図７（ａ）の各グループ（２１、２２、…）の方向２の配設順に、図７（ｂ）のように順次直線状に観測用光ファイバー５２…の出口側を配設することで、出口側１次元配列の出口部５ｏｕｔを形成している。
【００７３】
観測用光ファイバー５２…の入口側は図７に示す方向１の配設間隔が一定ではないが、図８の方法で２次元画像を再構成する場合、予めわかっている観測用光ファイバー５２…の配列により方向１のファイバー間隔を考慮して再構成することができる。
【００７４】
これにより、２次元平面の中央部と周辺部分の空間分解能を調整し、中央部分では詳細な画像、周辺部分では概略画像を得ることができるので、光ファイバーの本数の増加を抑え、且つ要求される画像情報を得ることができる。
【００７５】
ファインダー用光ファイバー５３…は周辺部分の概略情報を示すものであり、出口側の配列を入口側と同一にすることで入口側の光ファイバーに入射している画像を確認しながら位置調整を行うことができる。
【００７６】
すなわち、入口側と同一の２次元配列としたファインダー用光ファイバー５３…の出口側から出射される光を、例えば図示省略のファインダー部に導くように構成し、入口側の画像を確認しながら位置調整を行うものである。
【００７７】
以上のように実施例１〜６によれば、分光用光学系と、高速度ビデオカメラなどの時間分解特性に優れた画像記録装置を組み合わせることにより、高速で変化する現象の分光観測が可能となり、特定波長による放電現象の画像を得ることができる。
【実施例７】
【００７８】
前記実施例１〜６によれば、特徴的な２次元画像を得てアークが解析されるが、光学系を利用する為、光学収差（レンズ収差）によって画像が変形する。アークの分析には，画像中の座標値と輝度値が重要で，事後で画像解析する場合は収差補正が必要である。
【００７９】
特許文献２には、光ファイバーと参照光と干渉光で断層画像を撮影することが記載されている。しかし収差画像の補正には言及が無く、歪んだ画像での画像解析は難しい課題がある。
【００８０】
また特許文献３には、分光画像を重畳して表示することが記載されているが、収差画像の補正には言及が無く、歪んだ画像での画像解析は難しい課題がある。
【００８１】
そこで本実施例７では、面分光装置における光学収差を補正するように構成した。図１５は実施例７における全体構成を示している。図１５において図１０と異なる点は、参照光用ファイバー５１から入射され、回折格子７から出射される参照光画像の光学収差を補正する機能を有した画像処理装置１００を設けた点にある。
【００８２】
また、回折格子７と高速ビデオカメラ８の間に、角度調節機能を有した中心波長調整用ミラー９を配設した図１２の構成において、画像処理装置１００を設けても良い（図示省略）。
【００８３】
画像処理装置１００が行う前記光学収差の補正処理は、図１６（ａ）のフローチャートに沿って実施される。
【００８４】
本実施例７の特徴は、光を参照光用ファイバー５１だけに導いて図１７（ａ）左に示す特徴的な参照光画像を得、この参照光画像と画像処理によって、図１７から図１８へ収差を補正することである。図１５と図１２の違いは中心波長調整用ミラー９の有無であるが、画像の見え方を変えたい場合に、図１２の中心波長調整用ミラー９を使用するものとする。
【００８５】
次に、本実施例７の動作を図１６（ａ）のフローチャートとともに説明する。
【００８６】
（ステップＳ１）  参照光用ファイバー５１だけに単色光を入射して、図１７（ａ）の参照光画像を得る。単色光はスペクトルランプやホローカソードランプやレーザー等であり、特定の波長に限られた線幅の狭い光源であればいずれを使用しても良い。
【００８７】
ここで、本実施例７の特徴である図１７の参照光画像の取得方法を説明する。図１７の参照光画像を得るため、図１５の結像レンズ４からの光は入れず、参照光用ファイバー５１だけに光を入れて高速度ビデオカメラ８で撮影する。これによって、観測される分光画像例を示す図１９の（ｃ）列の点線矢印箇所だけが明るくなった画像が得られる。尚図１９は、前記図８と同様に特定波長の２次元画像を再構成する過程を示している。
【００８８】
実際には収差があるので、図１７（ｂ）の２重線のような画像になる。図１７（ａ）の例のように３波長にピークがある光を参照光用ファイバー５１に入れると、図１７（ａ）のように３か所の波長箇所だけ点状で明るくなる。
【００８９】
本実施例の利点は、特定の波長で、かつ参照光用ファイバー５１に入れた図１７に示す参照光画像を使うことで、特定の箇所だけ明るくなった画像が得られる。これにより画像処理しやすい利点がある。
【００９０】
（ステップＳ２）  画像処理を使用して図１７（ａ）の画像中の点ｐを複数点（参照光用ファイバー５１の出口側配設位置に対応した複数の参照光画像特徴点ｐ１〜ｐ３）取得する。次にその取得方法を説明する。
【００９１】
図１７（ｂ）は、既知の３波長でピークがある光を参照光用ファイバー５１に入れた画像例である。図１７（ａ）に示したｐ１，ｐ２，ｐ３は次の制約条件があるので、一般的な画像処理であるカラー画像の色抽出や２値化処理で点を検出できる。
【００９２】
１）  ｐ１，ｐ２，ｐ３は図１７（ｂ）に示す二重線上近傍に現れる。  
【００９３】
２）  ｐ１，ｐ２，ｐ３の間隔は既知の波長に対応して一意に決まる。  
【００９４】
３）カラーカメラの場合は、参照光用ファイバー５１に入れた３波長に対応する色が分かる。その色で色抽出処理すると一意に点が検出できる。色抽出処理は、カラー画像に限定されるが、本件は１）２）の条件だけで点を決められれば、モノクロ、カラー画像用どちらを使用しても良いものとする。
【００９５】
（ステップＳ３）  収差の補正とは、収差で変形したステップＳ１の点ｐを、図１８に示すように座標Ｐ（Ｘ，Ｙ，０）が格子状になるよう補正する事である。Ｐ（Ｘ，Ｙ，０）が格子になるよう決定できるので、ｐ（ｕ，ｖ）とＰ（Ｘ，Ｙ，０）のセット（参照光画像特徴点座標と、それが格子状になるように補正した補正後座標とを対応させた座標データ）を複数点で設定する。
【００９６】
（ステップＳ４）  ステップＳ３で設定した複数点（の座標データ）を用いてキャリブレーション処理し、高速度ビデオカメラ８の内部パラメータ及び歪み係数を得る。尚、キャリブレーション処理は各種提案されているが、半径方向歪や円周方向歪などすべてのパラメータが推定できるＺｈａｎｇの手法など公知の手法を使用すれば良い。
【００９７】
（ステップＳ５）  ステップＳ４で取得した高速度ビデオカメラ８の内部パラメータ及び歪み係数を使用して、図１７の収差画像から図１８の補正画像へ変形させる。これによって補正前は座標値と波長が対応しないが、補正後は座標値と波長が一意に決まるので、画像処理によって大量画像の分析が可能になる。
【００９８】
従来は手動で収差画像を補正する必要があり煩雑であったが、本実施例７は画像処理で収差画像を補正できるので、大量の収差画像を補正し補正画像の画素値を取り出すことで、大量画像を容易に分析・解析ができる利点がある。
【実施例８】
【００９９】
本実施例８では、結像レンズ４と参照光用ファイバー５１の両方に光を入射し、回折格子７から出射される画像を高速度ビデオカメラ８で記録し、前記実施例７と同様に画像の収差を補正する処理を行った後、図１９の（ｄ）列に示す画像へ再合成するように構成した。
【０１００】
本実施例８の動作を図１６（ｂ）のフローチャートとともに説明する。ここでは、図１９（ｄ）列の１番上の「波長１で見た画像」へ再合成する場合を例に説明するが、他の波長（２、３）の場合も同様の動作で再合成する。
【０１０１】
（ステップＳ１１）  結像レンズ４、参照光用ファイバー５１に、単色光又は連続光を入射して画像を入力する。尚連続光とは、単色光が単一の波長の光に対して、広い範囲で波長が連続している光である。
【０１０２】
（ステップＳ１２）、（ステップＳ１３）、（ステップＳ１４）（図示省略）  実施例７（図１６（ａ））におけるステップＳ２，Ｓ３，Ｓ４と同様の処理を行う。すなわち、参照光用ファイバー５１で得られた参照光画像における、参照光用ファイバー５１の出口側配設位置に対応した複数の参照光画像特徴点（図１７のｐ１，ｐ２，ｐ３）を取得し（ステップＳ１２）、前記参照光画像特徴点の座標ｐ（ｕ，ｖ）と、該座標が図１８のような格子状になるように補正した補正後座標Ｐ（Ｘ，Ｙ，０）とを対応させた座標データを設定し（ステップＳ１３）、前記座標データを用いてキャリブレーション処理を行って高速度ビデオカメラ８の内部パラメータおよび歪み係数を取得する（ステップＳ１４）。
【０１０３】
（ステップＳ１５）
実施例７のステップＳ５と同様に、前記内部パラメータおよび歪み係数を用いて参照光画像の光学収差を補正する。
【０１０４】
（ステップＳ１６）
（ステップＳ１６−１）  図１９（ｃ）列の「波長１」に対応する「点線四角領域」のピクセル値を取得する。
【０１０５】
（ステップＳ１６−２）  ステップＳ１６−１で取得した「点線四角領域」のうち、白色で切れている箇所毎に切り取って、残った領域の画像を、図１９（ｄ）列の１番上の「波長１で見た画像」へ、画像処理によって順番に並べて（光ファイバー５０の同一グループ毎に並べて）再合成する。尚、白色で切れている箇所とは、図１９の黒点線矢印で示す参照光ファイバー５１の出口側配設位置に対応する画素である。
【０１０６】
通常のマルチスペクトルカメラは、Ｈ／Ｗの制約のため高速シャッターが切れず、発生して直ぐに消弧するアークの動きを撮影できない課題がある。本実施例では、何度でも任意の波長帯の画像で再合成できる利点がある。またＨ／Ｗの制約を受けず高いフレームレートでかつ所望のマルチスペクトル画像が得られる利点がある。またこの画像を時間軸でつなぎ合わせることで、動画像を得られる利点がある。
【実施例９】
【０１０７】
実施例８のように画像処理によって収差補正するには、多数の参照光画像が必要である。本実施例９の構成は、実施例７と同様であるが、図１５の高速度ビデオカメラ８を動かして見え方の異なる参照光画像を多数収集し、その都度図１６（ａ）のステップＳ１〜Ｓ３を繰り返し実行する点に違いがある。
【０１０８】
見え方の異なる図１７の参照光画像が多数あると収差の補正が正確になる。本実施例９によれば、高速度ビデオカメラ８を動かすことで見え方の異なる参照光画像を容易に多数集めることができ、収差補正が正確になる利点がある。
【実施例１０】
【０１０９】
本実施例１０の構成は、実施例７と同様であるが、図１２の中心波長調整用ミラー９を動かして見え方の異なる参照光画像を多数収集し、その都度図１６（ａ）のステップＳ１〜Ｓ３を繰り返し実行する点に違いがある。
【０１１０】
見え方の異なる図１７の参照光画像が多数あると収差の補正が正確になる。本実施例１０によれば、中心波長調整用ミラー９を動かすことで見え方の異なる参照光画像を容易に多数集めることができ、収差補正が正確になる利点がある。
【実施例１１】
【０１１１】
本実施例１１の構成は，実施例７と同様であるが、連続光を分光器で分光し特定の波長だけ図１５の参照光様ファイバー５１へ導いて、標準光中の波長の異なる参照光画像を多数収集し、その都度図１６（ａ）のステップＳ１〜Ｓ３を繰り返し実行する点に違いがある。また分光器を単色光源にする装置としてモノクロメータがあり、本光源にモノクロメータを使用しても良い。
【０１１２】
波長の異なる図１７の参照光画像が多数あると収差の補正が正確になる。本実施例１１によれば、分光器を使用して波長を変え頂点の位置が移動した参照光画像を容易に多数集められ、収差補正が正確になる利点がある。
【実施例１２】
【０１１３】
本実施例１２の構成は，実施例７と同様であるが、干渉フィルタを図１５の参照光用ファイバー５１の前か、図１５の回折格子７の前に配設し、標準光中の任意の波長だけの参照光画像を収集し、その都度図１６（ａ）のステップＳ１〜Ｓ３を繰り返し実行する点に違いがある。
【０１１４】
波長の異なる図１７の参照光画像が多数あると収差の補正が正確になる。本実施例１２によれば、干渉フィルタを変更することで波長を変え、頂点の位置を移動させた参照光画像を容易に多数集められるので、収差補正が正確になる利点がある。
【符号の説明】
【０１１５】
１…真空遮断器
２…窓部
３…真空チャンバー
４…結像レンズ
５…光ファイバーアレイ
５ｉｎ…入口部
５ｏｕｔ…出口部
６…コリメータレンズ
７…回折格子
８…高速度ビデオカメラ
９…中心波長調整用ミラー
２１〜２６…グループ
３０…スリット
４０…標準光源
５０…光ファイバー
５１…参照光用ファイバー
５２…観測用光ファイバー
５３…ファインダー用光ファイバー
６１，６２…凸レンズ
１００…画像処理装置
【図１】
2020126045.tif 000003
【図２】
2020126045.tif 000004
【図３】
2020126045.tif 000005
【図４】
2020126045.tif 000006
【図５】
2020126045.tif 000007
【図６】
2020126045.tif 000008
【図７】
2020126045.tif 000009
【図８】
2020126045.tif 000010
【図９】
2020126045.tif 000011
【図１０】
2020126045.tif 000012
【図１１】
2020126045.tif 000013
【図１２】
2020126045.tif 000014
【図１３】
2020126045.tif 000015
【図１４】
2020126045.tif 000016
【図１５】
2020126045.tif 000017
【図１６】
2020126045.tif 000018
【図１７】
2020126045.tif 000019
【図１８】
2020126045.tif 000020
【図１９】
2020126045.tif 000021